(57)【要約】【課題】コンパクトで、蓋の開閉が容易な穴被着用蓋開閉装置を提供する。【解決手段】グリース阻集器６を覆う第一蓋体５と、この蓋体をグリース阻集器６の外にかつ元の位置と平行な位置まで移動させる移動手段を有する穴被着用蓋開閉装置１において、前記移動手段は、一端が第一蓋体５の裏面に回動自在に支持されかつ他端が前記グリ−ス阻集器６の内部に軸支された第二ア−ム２４とこのアームを第一蓋体５が開口する方向に付勢しておくコイルスプリング２７を含むリンク機構２０を有すると共に、第二アーム２４は第一蓋体５が前記平行な位置まで回転可能な形状を有する。【選択図】        図１
2004353320.tif 000002
【特許請求の範囲】
【請求項１】
地中あるいは屋内床下に設けられた空洞部を覆う蓋体と、前記蓋体を前記空洞部外にかつ元の位置と平行な位置まで移動させる移動手段を備えた穴被着用蓋開閉装置において、前記移動手段は、一端が前記蓋体の裏面に回動可能に支持されかつ他端が前記空洞部の内部に軸支されるア−ムと前記アームを前記蓋体が開口する方向に付勢しておく弾性部材とを含むクランク機構を有すると共に、前記アームは前記蓋体が前記平行な位置まで回転可能な形状を有することを特徴とする穴被着用蓋開閉装置。
【請求項２】
前記蓋体の裏面に、一端が前記ア−ムよりも前記蓋体の端部よりに回動可能に支持されかつ他端が前記空洞部の内部に軸支される第二のア−ムを有し、前記第二のア−ムは前記アームと同期して回転することを特徴とする請求項１記載の穴被着用蓋開閉装置。
【請求項３】
前記ア−ム及び前記第二のアームは、前記蓋体の両側縁部よりに各々配置されると共に、前記ア−ムは同期移動可能に連結されていることを特徴とする請求項１記載の穴被着用蓋開閉装置。
【請求項４】
前記ア−ムの他端は、前記空洞部に着脱自在に装着される支持部材に支持されていることを特徴とする請求項１乃至３のいずれかに記載の穴被着用蓋開閉装置。
【発明の詳細な説明】
【０００１】
【発明の属する技術分野】
本発明は、厨房などに用いるグリース阻集器、排水桝、側溝等の地中に供される数々の溝穴、あるいは屋内床下の空洞部に被着される蓋を開閉する穴被着用蓋開閉装置に関する。
【０００２】
【従来の技術】
ホテル、食堂、飲食店等の厨房などから排出される排水液中に含まれる油脂分を浮上分離させて阻集し、油脂分の排水管中への流入による排水管の詰まりを防止し、合わせて河川他環境への悪影響を低減するために、屋外もしくは屋内の厨房の床に空洞部を設け、そこにグリース阻集器を埋め込んで設置することが行われている。通常、この種の阻集器は、阻集器内に流入する排水中の厨芥等を液分から分離して回収するバスケット室と、排水液中の油脂分を上部液面に浮遊させて油脂を含まない下部水とに分離させる油脂分離室とを有する。また排水桝も、グリース阻集器と同様に厨房の床下に設置され、側溝に流入する排水中に含まれる野菜くずをバスケット内に回収するように構成されている。上記グリース阻集器の油脂分離室に集められた油脂分はある程度固まった状態になり、通常一週間に一回、金網等ですくいあげられている。またグリース阻集器の性能を維持するために、バスケット室の内部に溜まった厨芥等は、毎日一回取り除く必要がある。このような作業を行うためには、先ずグリース阻集器上部を開口する、つまり厨房床面のマンホ−ル蓋と呼ばれる蓋体を開けることが必要となる。次いでバスケットを引き上げて、厨房床面に置き、その後バスケット内の厨芥等が取り出されるが、阻集器の清掃は、例えば料理人が調理の合間に人手により行うため、蓋体の重量が重くその開閉が困難であったりすると、蓋体を開けることすら面倒となり、清掃頻度が滞りがちになる。その結果、バスケット室が厨芥等で満杯になり、排水液がバスケット室上部から油脂分離室に流入し、グリース阻集器が設置してあるにもかかわらず、油脂分が排水中に流れて、阻集器の阻集効率が低下してしまう。また、厨芥に付着した油脂が腐敗し異臭の発生に至る場合もある。
【０００３】
大重量の蓋体を容易に開閉するために、これまで多くのマンホ−ル蓋開閉装置が実用に供されてきたが、多くは特殊な工具を使用して溝蓋を開閉する構造であり、操作性及び価格の点でそれほど普及しなかった。特殊な工具を使用せずに重量が大なる蓋の開閉を容易に行うために、蓋体の端部に止めネジなどで回転式兆番を固定することが考えられる。この構造によれば、蓋体を持ち上げるだけの操作で済むが、蓋体が誤って閉じた場合には指が挟まれるなどの事故を防止すため、開放した蓋を立設状態に保つための手段（ア−ム）を設けることが必要あり、このアームがバスケットの清掃作業時に邪魔になるという別の問題が発生する。そこで重量が大なる蓋体を空洞部（溝穴）と平行な位置まで移動させることが提案されている（特許文献１参照）。特許文献１に記載された溝蓋の開閉装置は、螺子杵を開閉工具で回転して、交叉リンク体の交叉部に連結された昇降軸体を昇降し、これにより、所定倍率で拡大させた昇降ストロークで、昇降支持桟を昇降するようにし、昇降支持桟に乗戴した溝蓋を溝穴の外方へ引き出し可能な上昇位置と、溝受枠と面一状となる下降位置とに変換可能とした構造を有する。
【０００４】
【特許文献１】
特開平８−３０２８０５号公報（第２−４頁、図１−図６）
【０００５】
【発明が解決しようとする課題】
特許文献１に記載された装置は、特殊な工具を用いずに蓋の開閉を行うことができるが、それでも開閉工具（ハンドル）を必要とする。また蓋の背面にパンタグラフと同様な構造を有する交叉リンク体を配置しており、さらに蓋はその位置で昇降するために、上昇させた蓋を溝の外に移動させる手段（例えばローラ）を蓋の裏面に装着することが必要であり、複雑でしかも大型の装置となり、既設の現場に設置するには、本格的な改装工事が必要となるという問題がある。
【０００６】
本発明の目的は、上記の課題を解消して、コンパクトで、しかも操作が容易な穴被着用蓋開閉装置を提供することである。
【０００７】
【課題を解決するための手段】
本発明は、地中あるいは屋内床下に設けられた空洞部を覆う蓋体と、前記蓋体を前記空洞部外にかつ元の位置と平行な位置まで移動させる移動手段を備えた穴被着用蓋開閉装置において、前記移動手段は、一端が前記蓋体の裏面に回動可能に支持されかつ他端が前記空洞部の内部に軸支されるア−ムと前記アームを前記蓋体が開口する方向に付勢しておく弾性部材とを含むクランク機構を有すると共に、前記アームは前記蓋体が前記平行な位置まで回転可能な形状を有することを特徴とする。この構造によれば、蓋体がア−ム長さに相当する回転半径でもって、蓋体の上面から離れた位置まで、床面に対し平行にクランク移動して空洞部が開口され、しかも前記アームは開口方向に弾性部材で付勢されているので、蓋体の開閉作業を容易に行うことができる。従って、例えば毎日１回床下蓋を開閉するなど、頻繁に蓋体を開閉する際にその作業負荷を軽減することができる。
【０００８】
本発明の穴被着用蓋開閉装置においては、前記蓋体の裏面に、一端が前記ア−ムよりも前記蓋体の端部よりに回動可能に支持されかつ他端が前記空洞部の内部に軸支される第二のア−ムを有し、前記第二のア−ムは前記アームと同期して回転することが好ましい。この構造によれば、蓋体はアームに加えて第二のア−ムによっても支持されるので、蓋体が開放された時に蓋体をより確実に平行状態に位置せしめることが可能となる。蓋体をさらに安定した平行状態に位置せしめるために、前記ア−ム及び前記第二のアームは、前記蓋体の側縁部よりに各々配置されると共に、前記ア−ムは同期移動可能に連結されていることが好ましい。
【０００９】
本発明の穴被着用蓋開閉装置においては、前記ア−ムの他端は、前記空洞部に着脱自在に装着される支持部材に支持されていることが好ましい。この構造によれば、開閉装置全体がユニット化され、既設厨房内のグリ−ス阻集器等の空洞部速やかに取り付け及び取り外し可能で、保守点検やメンテテンスがさらに容易となる。
【００１０】
【発明の実施の形態】
以下、図面を参照しながら本発明の実施の形態を説明する。
図１は本発明の穴被着用蓋開閉装置をグリース阻集器に取り付けた状態を示す断面図、図２は図１の平面図で蓋体が閉じた状態を示し、図３は図１から蓋体を取り外した状態の開閉装置を示す平面図、図４は図３をＢ方向からみた矢視図である。
【００１１】
図１において、１は、グレーチング２が被せられた側溝１１に隣接する蓋開閉装置であり、グリース阻集器６のバスケット７上部を閉じる第一蓋体５に装着され、第一蓋体５の裏面にはその中央部に脚３１が設けられている。グリ−ス阻集器６は、図２に示すように、側溝１１の終端と増し打ちコンクリート１４との間に位置する空洞部に設置され、空洞部は開閉用握り部３を有する縞鋼板製の第一蓋体５と、一対の取手４を有する縞鋼板製の第二蓋体１８及び第三蓋体１９とで密閉されている。グリ−ス阻集器６の内部には、矢印Ｘで示す排水の流動方向に沿って３枚の仕切板１２が設置され、排水流入側にはバスケット７が装着され、バスケット７の下流側には排水が矢印Ｙ方向に流出する流出管８に接続されるトラップ管９が設置されている。
【００１２】
蓋開閉装置１は、図３及び図４に示すように、所定間隔（第一蓋体５の幅に対応する間隔）をおいて、固定枠アングル２９に係止される支持ケースツバ１５を第一蓋体５の短辺側両端に有する一対の支持ケ−ス側壁３３と、各支持ケ−ス側壁３３に取り付けられた、第一ア−ム２３と第二ア−ム２４を含む一対のクランク機構２０とを有する。第一ア−ム２３の一端は、第一蓋体５の裏面に固定された直方体状の蓋体取り付け部２２の長辺側端面に軸支される軸３４の端面に固定されている。第一ア−ム２３の他端は、平板状の支持部材２１に軸支される軸３５の端面に固定されることにより、第一ア−ム２３は軸３５を支点として回動できるように空洞部の内部に支持されている。第二ア−ム２４の一端は、例えば溶接あるいはネジなどの接合手段により上記蓋体取り付け部２２の端面に固定されている。第二ア−ム２４の他端は、上記支持部材２１に軸支される軸３６の端面に固定されることにより、第二ア−ム２３は軸３６を支点として回動できるように空洞部の内部に支持されている。
【００１３】
上記軸３６にはコイルスプリング２７が装着され、第一蓋体５が開口される方向（時計方向）にスプリングの付勢力（ねじり力）が作用するように、スプリング２７の一端は支持部材２１に掛止され、スプリング２７の他端は第二ア−ム２４に掛止される。これにより、蓋が閉じる時にはスプリングに捻り力が加わり、第一蓋体５が開く方向の時にはこの捻り力が開放されるため、第一蓋体５を開く場合には、スプリング２７の復元力が作用するため、第一蓋体５の自重よりも軽い荷重で第一蓋体５を開くことが可能となる。左右の第二ア−ム２４は各々連結ロッド３２の端面に固定されて一対のリンク機構２０が同期して作動できるようになっている。これらの第二ア−ム２４は、第一蓋体５が時計方向に回動する時に、第一蓋体５が第二蓋体１８と平行になる位置まで回転できるようにするために、途中で折れ曲がったクランク形状を有する。上記スプリング２７のバネ定数は第一蓋体５の自重によって調整し、例えば蓋体の自重の０．７倍程度のスプリング２７の捻り力が復元力として作用するよう設定しておけば、誤作動により第一蓋体５が勝手に開くこともない。上記の開閉装置１は平行クランク機構２０にスプリング２７を組み込んだ基本構造を有するので、スプリング２７のバネ強さとア−ムの長さを、第一蓋体５の形状に応じて設定することにより、各種サイズの蓋の開閉に適用することができる。上記のリンク機構２０において、第一ア−ム２３を省略し、第一蓋体５を第二ア−ム２４のみで支持しても、第一蓋体を回転できるが、開放した蓋を安定に支持するためには、第一蓋体５を第一ア−ム２３と第二ア−ム２４とで支持することが望ましい。
【００１４】
蓋開閉装置１は、図４に示すように、既設の固定枠アングル２９の上に支持ケ−スツバ１５を載置した後、おねじの頭に取り付けたネジハンドル２５（図３参照）を廻して、支持ケ−ス３３に設けた第一固定金具２６を空洞部の内壁に押し付けることにより、この金具が増し打ちコンクリ−ト１４（図２参照）に食い込み安定した固定が行われる。蓋開閉装置１を、さらに強固に設置する場合には、支持ケ−スツバ１５に第二固定金具取り付け穴２８を設け、そこにアンカ−ボルト（不図示）を挿入して既設アングル２９に固定すればよい。第一ア−ム２３と第二ア−ム２４を支持する支持部材２１は空洞部の側壁に直接固定されていても良いが、図４に示すように空洞部に着脱自在に装着される支持ケ−ス３３に、支持部材２１を設けておくことが望ましい。これにより、蓋開閉装置１の取り付け及び取り外しが容易で、保守点検やメンテテンスを行う上で好都合である。
【００１５】
上記の構造を有する蓋開閉装置１によれば、次の手順で第一蓋体５を開閉して、グリ−ス阻集器６のバスケット７を清掃することができる。図２の開閉用握り部３を握り、上方側へ作用力を加えると、第一蓋体５は図１に示すア−ム回転軌跡１７に沿って時計方向に回動し、第一蓋体５がア−ム長さに相当する回転半径で、床面に対し略平行になるまで移動され、グリ−ス阻集器６が開口され、その内部にあるバスケットが露出する。上記のように、本発明の装置によれば、作業者の負荷を極力減らして重量物の蓋体を開くことが簡便であるため、厨芥等が溜まったバスケット７の取り出しが、容易且つ安全に行える。しかもこの第一蓋体５の開口時において、第一蓋体５は第二蓋体１８の上方に位置し、第一蓋体５の裏に固定されている脚３１により支持されているため、第一蓋体５に誤って人が乗っても第一ア−ム２３と第二ア−ム２４が折損して、傷害事故が発生するようなことは防止される。
【００１６】
バスケットの清掃作業終了後は、開閉用握り部３を握り、下方側へ作用力を加えると、第一蓋体５は図１に示すア−ム回転軌跡１７に沿って、ア−ム長さに相当する回転半径で反時計方向に回動し、元の位置に戻り、第一蓋体５が閉じられる。バスケット７を阻集器６内の所定位置に戻し、第一蓋体５を閉方向に移動させる。この際、スプリング２７へは捻り力を加えることになるが、蓋体の自重が加わるため蓋を閉じる時にも、過大な作用力を加えるまでもなく第一蓋体５を閉状態の位置に復元させることができる。従って蓋体の自重が重い場合でも、蓋の開閉作業の負荷が大幅に軽減され、バスケットの清掃を頻繁に行うことができる。本実施の形態によれば、蓋体の開閉に際し、蓋体は常に床面に対し平行に移動するので、誤作動による挟まれ事故を引き起こすことなく安全に蓋体の開閉作業を行うことができる。
【００１７】
上記の実施の形態では、本発明をグリ−ス阻集器の蓋を開閉する装置に適用する例について述べたが、本発明はグリ−ス阻集器に限定されることなく、厨房排水桝、あるいは側溝、屋内収納部に適用することが可能であり、特に地中あるいは床下の空洞部を覆う蓋を頻繁に開閉する作業が頻繁である設備に設置した場合に有用である。
【００１８】
【発明の効果】
以上詳しく説明した様に、本発明による穴被着用蓋開閉装置は、例えば毎日１回床下蓋を開閉するなど、頻繁に蓋を開閉する際にその作業負荷を軽減に大きな効果を発揮するものである。また、既設の現場においても簡単に装置を装着でき、またメンテナンス時には取り外しも容易となるものである。さらに、開閉装を構成するア−ムや支持部材などは全て床下に収納されるため、床上には、開閉用の治具などは存在せず、人の通行を阻害することが解消される。
【図面の簡単な説明】
【図１】本発明の実施の形態に係わる穴被着用蓋開閉装置を示す断面図である。
【図２】図１の平面図である。
【図３】図１の穴被着用蓋開閉装置から蓋体５を取り外した状態を示す平面図である。
【図４】図３をＢ方向から見た矢視図である。
【符号の説明】
１：穴被着用蓋開閉装置
２：グレ−チング
３：開閉用握り部
４：取手
５：第一蓋体
６：グリ−ス阻集器
７：バスケット
８：流出管
９：トラップ管
１１：側溝
１２：仕切板
１３：スラブコンクリ−ト
１４：増し打ちコンクリ−ト
１５：支持ケ−スツバ
１７：回転軌跡
１８：第二蓋体
１９：第三蓋体
２０：リンク機構
２１：支持部材
２２：蓋体取り付け部
２３：第一ア−ム
２４：第二ア−ム
２５：ネジハンドル
２６：第一固定金具
２７：スプリング
２８：第二固定金具取り付け孔
２９：固定枠アングル
３１：脚
３２：連結ロッド
３３：支持ケ−ス側壁
３４、３５、３６：軸
【図１】
2004353320.tif 000003
【図２】
2004353320.tif 000004
【図３】
2004353320.tif 000005
【図４】
2004353320.tif 000006